(57)【要約】      （修正有）【課題】めっき液の浸入を抑えて絶縁抵抗不良の発生を抑制できる貫通コンデンサを提供する。【解決手段】貫通コンデンサでは、信号用内部電極６の第１連結部１３Ａの幅が第１主電極部１１Ａ及び第１引出部１２Ａの幅よりも狭くなっている。これにより、素体の端面にめっき層を形成する際、幅狭な第１連結部１３Ａによってめっき液が信号用内部電極６の第１主電極部１１Ａに到達することを抑制できる。また、貫通コンデンサでは、信号用内部電極６の第１主電極部１１Ａに、第２連結部１３Ｂの位置に対応してくびれ部１４Ａが形成されている。これにより、仮に接地用内部電極７の第２引出部１２Ｂからめっき液が浸入したとしても、めっき液が第１主電極部１１Ａに到達することを抑制でき、絶縁抵抗不良の発生を抑制できる。【選択図】図３
2013008841.tif 000002
【特許請求の範囲】
【請求項１】
誘電体層を積層してなる素体と、
前記素体内に交互に配置された信号用内部電極及び接地用内部電極と、
前記素体において互いに対向する第１端面にそれぞれ配置され、前記信号用内部電極によって電気的に接続された端子電極と、
前記素体において前記第１端面と交差する方向で互いに対向する第２端面にそれぞれ配置され、前記接地用内部電極によって電気的に接続された接地電極と、を備えた貫通コンデンサであって、
前記端子電極と前記接地電極とは、単層又は複数層のめっき層からなり、
前記信号用内部電極は、隣接する接地用内部電極と対向する第１主電極部と、前記第１端面に露出する第１引出部と、前記第１主電極部と前記第１引出部とを連結する第１連結部とを有し、
前記接地用内部電極は、隣接する信号用内部電極と対向する第２主電極部と、前記第２端面に露出する第２引出部と、前記第２主電極部と前記第２引出部とを連結する第２連結部とを有し、
前記第１連結部の幅は、前記第１主電極部及び前記第１引出部の幅よりも狭くなっており、
前記第１主電極部には、前記第２連結部の位置に対応してくびれ部が形成されていることを特徴とする貫通コンデンサ。
【請求項２】
前記第２連結部の幅は、前記第２主電極部及び前記第２引出部の幅よりも狭くなっていることを特徴とする請求項１記載の貫通コンデンサ。
【請求項３】
前記第２主電極部には、前記第１連結部の位置に対応してくびれ部が形成されていることを特徴とする請求項１又は２記載の貫通コンデンサ。
【請求項４】
前記信号用内部電極と同層には、前記第２引出部の位置に対応して前記第２端面に露出する第１ダミー電極が形成されていることを特徴とする請求項１〜３のいずれか一項記載の貫通コンデンサ。
【請求項５】
前記接地用内部電極と同層には、前記第１引出部の位置に対応して前記第１端面に露出する第２ダミー電極が形成されていることを特徴とする請求項１〜４のいずれか一項記載の貫通コンデンサ。
【発明の詳細な説明】
【技術分野】
【０００１】
本発明は、貫通コンデンサに関する。
【背景技術】
【０００２】
従来の貫通コンデンサとして、例えば特許文献１に記載の貫通コンデンサがある。この貫通コンデンサは、素体内に交互に配置された信号用内部電極及び接地用内部電極を備えている。これらの信号用内部電極及び接地用内部電極は、素体内を貫通するように存在しており、素体の端面において互いに対向に配置された端子電極及び接地電極を連結する構成となっている。
【先行技術文献】
【特許文献】
【０００３】
【特許文献１】実開昭５８−８９９２６号公報
【発明の概要】
【発明が解決しようとする課題】
【０００４】
ところで、上述したような貫通コンデンサでは、所定の内部電極パターンを形成したグリーンシートを積層及び焼成して素体を得た後、所定のめっき液を用いて素体の端面にめっき層を形成し、これを端子電極及び接地電極としている。このめっき層の形成の際、素体の端面から信号用内部電極側及び接地用内部電極側にめっき液が浸入すると、絶縁抵抗不良が生じる場合がある。
【０００５】
本発明は、上記課題の解決のためになされたものであり、めっき液の浸入を抑えて絶縁抵抗不良の発生を抑制できる貫通コンデンサを提供することを目的とする。
【課題を解決するための手段】
【０００６】
上記課題の解決のため、本発明に係る貫通コンデンサは、誘電体層を積層してなる素体と、素体内に交互に配置された信号用内部電極及び接地用内部電極と、素体において互いに対向する第１端面にそれぞれ配置され、信号用内部電極によって電気的に接続された端子電極と、素体において第１端面と交差する方向で互いに対向する第２端面にそれぞれ配置され、接地用内部電極によって電気的に接続された接地電極と、を備えた貫通コンデンサであって、端子電極と接地電極とは、単層又は複数層のめっき層からなり、信号用内部電極は、隣接する接地用内部電極と対向する第１主電極部と、第１端面に露出する第１引出部と、第１主電極部と第１引出部とを連結する第１連結部とを有し、接地用内部電極は、隣接する信号用内部電極と対向する第２主電極部と、第２端面に露出する第２引出部と、第２主電極部と第２引出部とを連結する第２連結部とを有し、第１連結部の幅は、第１主電極部及び第１引出部の幅よりも狭くなっており、第１主電極部には、第２連結部の位置に対応してくびれ部が形成されていることを特徴としている。
【０００７】
この貫通コンデンサでは、信号用内部電極の第１連結部の幅が第１主電極部及び第１引出部の幅よりも狭くなっている。これにより、素体の端面にめっき層を形成する際、幅狭な第１連結部によってめっき液が信号用内部電極の第１主電極部に到達することを抑制できる。また、この貫通コンデンサでは、信号用内部電極の第１主電極部に、第２連結部の位置に対応してくびれ部が形成されている。これにより、仮に接地用内部電極の第２引出部からめっき液が浸入したとしても、めっき液が第１主電極部に到達することを抑制できる。以上により、この貫通コンデンサでは、絶縁抵抗不良の発生を抑制できる。
【０００８】
また、第２連結部の幅は、第２主電極部及び第２引出部の幅よりも狭くなっていることが好ましい。この場合、幅狭な第２連結部によってめっき液が接地用内部電極の第２主電極部に到達することを抑制できる。
【０００９】
また、第２主電極部には、第１連結部の位置に対応してくびれ部が形成されていることが好ましい。この場合、仮に信号用内部電極の第１引出部からめっき液が浸入したとしても、めっき液が第２主電極部に到達することを抑制できる。
【００１０】
また、信号用内部電極と同層には、第２引出部の位置に対応して第２端面に露出する第１ダミー電極が形成されていることが好ましい。この場合、めっき層による接地電極の形成が容易となる。
【００１１】
また、接地用内部電極と同層には、第１引出部の位置に対応して第１端面に露出する第２ダミー電極が形成されていることが好ましい。この場合、めっき層による端子電極の形成が容易となる。
【発明の効果】
【００１２】
本発明によれば、めっき液の浸入を抑えて絶縁抵抗不良の発生を抑制できる。
【図面の簡単な説明】
【００１３】
【図１】本発明の第１実施形態に係る貫通コンデンサを示す斜視図である。
【図２】図１に示した貫通コンデンサの層構造を示す断面図である。
【図３】図１に示した貫通コンデンサの信号用内部電極及び接地用内部電極の電極パターンを示す図である。
【図４】本発明の第２実施形態に係る貫通コンデンサの信号用内部電極及び接地用内部電極の電極パターンを示す図である。
【図５】本発明の第３実施形態に係る貫通コンデンサの信号用内部電極及び接地用内部電極の電極パターンを示す図である。
【図６】本発明の第４実施形態に係る貫通コンデンサを示す斜視図である。
【図７】図６に示した貫通コンデンサの信号用内部電極及び接地用内部電極の電極パターンを示す図である。
【図８】本発明の第５実施形態に係る貫通コンデンサの信号用内部電極及び接地用内部電極の電極パターンを示す図である。
【発明を実施するための形態】
【００１４】
以下、図面を参照しながら、本発明に係る貫通コンデンサの好適な実施形態について詳細に説明する。なお、図面中、同一要素には同一符号を付すこととし、重複する説明は省略する。また、図面の寸法比率は図示の比率に限られるものではない。
［第１実施形態］
【００１５】
図１は、本発明の第１実施形態に係る貫通コンデンサを示す斜視図である。また、図２は、図１に示した貫通コンデンサの層構造を示す断面図である。図１及び図２に示すように、貫通コンデンサ１は、素体２と、一対の端子電極３と、一対の接地電極４と、信号用内部電極６と、接地用内部電極７とを備えて構成されている。
【００１６】
素体２は、図２に示すように、複数の誘電体層５が積層されて形成され、略直方体形状をなしている。誘電体層５は、例えばＢａＴｉＯ３系、Ｂａ（Ｔｉ，Ｚｒ）Ｏ３系、（Ｂａ，Ｃａ）ＴｉＯ３系といった電歪特性を有する誘電体材料によって形成されている。
【００１７】
端子電極３は、素体２における長手方向の端面（第１端面）２ａを覆うようにそれぞれ形成され、互いに対向した状態となっている。端子電極３は、複数のめっき層によって多層化されており、素体２に接する内側のめっき層には、例えばＣｕ、Ｎｉなどが用いられ、外側のめっき層には、例えばＡｇ、Ｓｎなどが用いられる。
【００１８】
接地電極４は、素体２において、端面２ａと直交する端面（第２端面）２ｂの略中央部分にそれぞれ形成され、互いに対向した状態となっている。接地電極４は、端子電極３と同様に、複数のめっき層によって多層化されている。接地電極４は、素体２の表面において、端子電極３とは互いに電気的に絶縁されている。
【００１９】
信号用内部電極６及び接地用内部電極７は、素体２内において、少なくとも１層の誘電体層５を挟むようにして交互に積層されている。信号用内部電極６と接地用内部電極７との間に介在する誘電体層５の厚さは、例えば１〜５μｍ程度に薄層化されている。
【００２０】
信号用内部電極６は、図３（ａ）に示すように、接地用内部電極７の第２主電極部１１Ｂと対向する第１主電極部１１Ａと、素体２の端面２ａに露出する第１引出部１２Ａと、第１主電極部１１Ａと第１引出部１２Ａとを連結する第１連結部１３Ａとを有し、素体２を長手方向に貫通して端子電極３，３同士を電気的に接続している。
【００２１】
第１主電極部１１Ａは、素体２の長手方向に矩形に延在し、接地用内部電極７の第２連結部１３Ｂの位置に対応するくびれ部１４Ａを有している。くびれ部１４Ａは、第２連結部１３Ｂの幅よりも大きい幅で矩形に形成されている。第１引出部１２Ａは、第１主電極部１１Ａと略等幅に素体２の端面２ａに沿って延在している。第１連結部１３Ａは、第１主電極部１１Ａ及び第１引出部１２Ａの幅よりも狭い幅で、第１主電極部１１Ａの中央部分と第１引出部１２Ａの中央部分とを連結している。
【００２２】
信号用内部電極６と同層には、第１ダミー電極１５Ａが形成されている。第１ダミー電極１５Ａは、第２引出部１２Ｂの位置に対応して第２引出部１２Ｂと略等幅に素体２の端面２ｂに沿って延在し、接地電極４にのみ接続されている。
【００２３】
接地用内部電極７は、図３（ｂ）に示すように、信号用内部電極６の第１主電極部１１Ａと対向する第２主電極部１１Ｂと、素体２の端面２ｂに露出する第２引出部１２Ｂと、第２主電極部１１Ｂと第２引出部１２Ｂとを連結する第２連結部１３Ｂとを有し、素体２を幅方向に貫通して接地電極４，４同士を電気的に接続している。
【００２４】
第２主電極部１１Ｂは、第１主電極部１１Ａと略同等の面積で素体２の長手方向に矩形に延在している。第２引出部１２Ｂは、素体２の端面２ｂの略中央部分において所定幅で延在している。第２連結部１３Ｂは、第２引出部１２Ｂと略等幅で、第２主電極部１１Ｂと第２引出部１２Ｂとを連結している。
【００２５】
接地用内部電極７と同層には、第２ダミー電極１５Ｂが形成されている。第２ダミー電極１５Ｂは、第１引出部１２Ａの位置に対応して第１引出部１２Ａと略等幅に素体２の端面２ａに沿って延在し、端子電極３にのみ接続されている。
【００２６】
なお、信号用内部電極６及び接地用内部電極７の外層には、保護層８と保護層９とが更に積層されている。図３（ｃ）に示すように、保護層８には、ダミー電極１５Ｃ，１５Ｄが形成されている。ダミー電極１５Ｃは、ダミー電極１５Ｂと同様の幅で素体２の端面２ａ側の中央部分に延在し、端子電極３にのみ接続されている。ダミー電極１５Ｄは、ダミー電極１５Ａと同様の幅で素体２の端面２ｂ側の中央部分に延在し、接地電極４にのみ接続されている。一方、図３（ｄ）に示すように、保護層９には、ダミー電極は形成されておらず、誘電体層５のみで形成されている。
【００２７】
この貫通コンデンサ１では、信号用内部電極６の第１連結部１３Ａの幅が第１主電極部１１Ａ及び第１引出部１２Ａの幅よりも狭くなっている。これにより、素体２の端面にめっき層を形成する際、幅狭な第１連結部１３Ａによってめっき液が信号用内部電極６の第１主電極部１１Ａに到達することを抑制できる。
【００２８】
また、貫通コンデンサ１では、信号用内部電極６の第１主電極部１１Ａに、第２連結部１３Ｂの位置に対応してくびれ部１４Ａが形成されている。これにより、仮に接地用内部電極７の第２引出部１２Ｂからめっき液が浸入したとしても、めっき液が第１主電極部１１Ａに到達することを抑制できる。以上により、この貫通コンデンサ１では、絶縁抵抗不良の発生を抑制できる。
【００２９】
また、貫通コンデンサ１では、信号用内部電極６と同層に、第２引出部１２Ｂの位置に対応して第２端面２ｂに露出する第１ダミー電極１５Ａが形成されている。同様にして、接地用内部電極７と同層には、第１引出部１２Ａの位置に対応して第１端面２ａに露出する第２ダミー電極１５Ｂが形成されている。これにより、第１ダミー電極１５Ａ及び第２ダミー電極１５Ｂがめっき層の成長起点となるので、めっき層による端子電極３及び接地電極４の形成が容易となる。すなわち、積層方向において、第１引出部１２Ａ，１２Ａ間に第２ダミー電極１５Ｂが配置され、第２引出部１２Ｂ，１２Ｂ間に第１ダミー電極１５Ａが配置されるので、電極間隔が狭くなり、めっき伸びを利用して確実にめっき層を形成できる。
［第２実施形態］
【００３０】
図４は、本発明の第２実施形態に係る貫通コンデンサの信号用内部電極及び接地用内部電極の電極パターンを示す図である。同図に示すように、第２実施形態では、接地用内部電極７の電極パターンが第１実施形態と異なっている。
【００３１】
すなわち、第２実施形態では、接地用内部電極７の第２主電極部１１Ｂが、信号用内部電極６の第１連結部１３Ａの位置に対応するくびれ部１４Ｂを有している。くびれ部１４Ｂは、第１連結部１３Ａの幅よりも大きい幅で矩形に形成されている。
【００３２】
このような構成においても、第１実施形態と同様の作用効果を奏することができる。また、第１連結部１３Ａの位置に対応して第２主電極部１１Ｂにくびれ部１４Ｂが形成されていることで、仮に信号用内部電極６の第１引出部１２Ａからめっき液が浸入したとしても、めっき液が第２主電極部１１Ｂに到達することを抑制できる。したがって、絶縁抵抗不良の発生をより確実に抑制できる。
［第３実施形態］
【００３３】
図５は、本発明の第３実施形態に係る貫通コンデンサの信号用内部電極及び接地用内部電極の電極パターンを示す図である。同図に示すように、第３実施形態では、信号用内部電極６の電極パターンが第１実施形態と異なっている。
【００３４】
すなわち、第３実施形態では、信号用内部電極６の第１連結部１３Ａが、第１実施形態の場合よりも狭い幅で２箇所に分離して設けられ、第１主電極部１１Ａの幅方向の両端部分と第１引出部１２Ａの幅方向の両端部分とを連結している。
【００３５】
このような構成においても、第１実施形態と同様の作用効果を奏することができる。また、幅狭な第１連結部１３Ａを２箇所に分離して設けることで、第１主電極部１１Ａへのめっき液の浸入を更に抑制することが可能となる。したがって、絶縁抵抗不良の発生をより確実に抑制できる。また、第１連結部１３Ａを複数設けることで、通電不良の発生を抑えることができる。
［第４実施形態］
【００３６】
図６は、本発明の第４実施形態に係る貫通コンデンサを示す斜視図である。また、図７は、図６に示した貫通コンデンサの信号用内部電極及び接地用内部電極の電極パターンを示す図である。同図に示すように、第４実施形態の貫通コンデンサ２１では、信号用内部電極２６及び接地用内部電極２７の電極パターンが第１実施形態と異なっている。これに伴い、端子電極２３は、素体２の端面２ａと端面２ｂの端部とにわたって形成されている。
【００３７】
第４実施形態の信号用内部電極２６は、図７（ａ）に示すように、接地用内部電極２７の第２主電極部３１Ｂと対向する第１主電極部３１Ａと、素体２の端面２ａに露出する第１引出部３２Ａと、第１主電極部３１Ａと第１引出部３２Ａとを連結する第１連結部３３Ａとを有している。
【００３８】
第１主電極部３１Ａは、素体２の長手方向に矩形に延在し、接地用内部電極２７の第２連結部３３Ｂの位置に対応するくびれ部３４Ａを有している。くびれ部３４Ａは、第２連結部３３Ｂの幅よりも大きい幅で矩形に形成されている。第１引出部３２Ａは、素体２の端面２ａに沿って素体２と等幅に延在している。第１連結部３３Ａは、第１主電極部３１Ａ及び第１引出部３２Ａの幅よりも狭い幅で、第１主電極部３１Ａの中央部分と第１引出部３２Ａの中央部分とを連結している。
【００３９】
信号用内部電極２６と同層には、第１ダミー電極３５Ａが形成されている。第１ダミー電極３５Ａは、第２引出部３２Ｂの位置に対応して第２引出部３２Ｂと略等幅に素体２の端面２ｂに沿って延在し、接地電極２４にのみ接続されている。
【００４０】
接地用内部電極２７は、図７（ｂ）に示すように、信号用内部電極２６の第１主電極部３１Ａと対向する第２主電極部３１Ｂと、素体２の端面２ｂに露出する第２引出部３２Ｂと、第２主電極部３１Ｂと第２引出部３２Ｂとを連結する第２連結部３３Ｂとを有している。
【００４１】
第２主電極部３１Ｂは、第１主電極部３１Ａと略同等の面積で素体２の長手方向に矩形に延在し、信号用内部電極２６の第１連結部３３Ａの位置に対応するくびれ部３４Ｂを有している。くびれ部３４Ｂは、第１連結部３３Ａの幅よりも大きい幅で矩形に形成されている。第２引出部３２Ｂは、素体２の端面２ｂの略中央部分において所定幅で延在している。第２連結部３３Ｂは、第２主電極部３１Ｂ及び第２引出部３２Ｂの幅よりも狭い幅で、第２主電極部３１Ｂの中央部分と第２引出部３２Ｂの中央部分とを連結している。
【００４２】
接地用内部電極２７と同層には、第２ダミー電極３５Ｂが形成されている。第２ダミー電極３５Ｂは、第１引出部３２Ａの位置に対応して素体２の端面２ａに沿って素体２と等幅に延在し、端子電極２３にのみ接続されている。
【００４３】
なお、信号用内部電極２６及び接地用内部電極２７の外層には、保護層２８と保護層２９とが更に積層されている。図７（ｃ）に示すように、保護層２８には、ダミー電極３５Ｃ，３５Ｄが形成されている。ダミー電極３５Ｃは、ダミー電極３５Ｂと同様に、素体２の端面２ａ側に素体２と等幅で延在し、端子電極２３にのみ接続されている。ダミー電極３５Ｄは、ダミー電極３５Ａと同様の幅で素体２の端面２ｂ側の中央部分に延在し、接地電極２４にのみ接続されている。一方、図７（ｄ）に示すように、保護層２９には、ダミー電極は形成されておらず、誘電体層５のみで形成されている。
【００４４】
このような構成においても、第１実施形態と同様の作用効果を奏することができる。また、本実施形態では、第２連結部３３Ｂの幅が第２主電極部３１Ｂ及び第２引出部３２Ｂの幅よりも狭くなっている。これにより、素体２の端面にめっき層を形成する際、幅狭な第２連結部３３Ｂによってめっき液が接地用内部電極２７の第２主電極部３１Ｂに到達することを抑制できる。
【００４５】
さらに、本実施形態では、第１連結部３３Ａの位置に対応して第２主電極部３１Ｂにくびれ部３４Ｂが形成されている。これにより、仮に信号用内部電極２６の第１引出部３２Ａからめっき液が浸入したとしても、めっき液が第２主電極部３１Ｂに到達することを抑制できる。したがって、絶縁抵抗不良の発生をより確実に抑制できる。
［第５実施形態］
【００４６】
図８は、本発明の第５実施形態に係る貫通コンデンサの信号用内部電極及び接地用内部電極の電極パターンを示す図である。同図に示すように、第５実施形態では、信号用内部電極２６及び接地用内部電極２７の電極パターンが第４実施形態と異なっている。
【００４７】
すなわち、第５実施形態では、信号用内部電極２６の第１連結部３３Ａが、第４実施形態の場合よりも狭い幅で２箇所に分離して設けられ、第１主電極部３１Ａの幅方向の両端部分を第１引出部３２Ａに連結している。また、接地用内部電極２７の第２連結部３３Ｂが、第４実施形態の場合よりも狭い幅で２箇所に分離して設けられ、第２主電極部３１Ｂを第２引出部３２Ｂの幅方向の両端部分に連結している。
【００４８】
さらに、第２連結部３３Ｂの位置に対応して、信号用内部電極２６のくびれ部３４Ａが第１主電極部３１Ａの幅方向の両端部にそれぞれ２箇所に設けられ、第１連結部３３Ａの位置に対応して、接地用内部電極２７のくびれ部３４Ｂが第２主電極部３１Ｂの各角部にそれぞれ設けられている。
【００４９】
このような構成においても、第４実施形態と同様の作用効果を奏することができる。また、幅狭な第１連結部３３Ａ及び第２連結部３３Ｂを２箇所に分離して設けることで、第１主電極部３１Ａ及び第２主電極部３１Ｂへのめっき液の浸入を更に抑制することが可能となる。さらに、第１連結部３３Ａ及び第２連結部３３Ｂの位置に対応してくびれ部３４，３５を設けることで、第１引出部３２Ａから第２主電極部３１Ｂへのめっき液の浸入、及び第２引出部３２Ｂから第１主電極部３１Ａへのめっき液の浸入を抑制できる。したがって、絶縁抵抗不良の発生をより確実に抑制できる。
【符号の説明】
【００５０】
１，２１…貫通コンデンサ、２…素体、２ａ…端面（第１端面）、２ｂ…端面（第２端面）、３，２３…端子電極、４，２４…接地電極、６，２６…信号用内部電極、７，２７…接地用内部電極、１１Ａ，３１Ａ…第１主電極部、１１Ｂ，３１Ｂ…第２主電極部、１２Ａ，３２Ａ…第１引出部、１２Ｂ，３２Ｂ…第２引出部、１３Ａ，３３Ａ…第１連結部、１３Ｂ，３３Ｂ…第２連結部、１４Ａ，１４Ｂ，３４Ａ，３４Ｂ…くびれ部、１５Ａ，３５Ａ…第１ダミー電極、１５Ｂ，３５Ｂ…第２ダミー電極。
【図１】
2013008841.tif 000003
【図２】
2013008841.tif 000004
【図３】
2013008841.tif 000005
【図４】
2013008841.tif 000006
【図５】
2013008841.tif 000007
【図６】
2013008841.tif 000008
【図７】
2013008841.tif 000009
【図８】
2013008841.tif 000010